(57)【要約】【課題】  ２つのパーツを上下方向に組み合わせてなる新規な凹凸バンド駒を提供することにある。【解決手段】  バンド駒１０は、上パーツ２０と下パーツ３０とを上下方向に組み合わせてなるものである。上パーツ２０および下パーツ３０は、それぞれ凹部または凸部を形成するための突起部２２，２３，２５，２６，３２，３５，３６を設けている。そして、このような上パーツ２０と下パーツ３０を上下方向に組み合わせて、凹部１２と凸部１３を形成する。【選択図】  図１
2006122530.tif 000002
【特許請求の範囲】
【請求項１】
凹部とそれに嵌合する凸部を備えて連結しバンドを構成するバンド駒であって、
上パーツと下パーツを上下方向に組み合わせてなるバンド駒。
【請求項２】
上パーツおよび／または下パーツに、凹部または凸部を形成するための突起部を設けた請求項１記載のバンド駒。
【請求項３】
突起部は、上パーツと下パーツを上下方向に組み合わせた分の高さと、連結ピンを挿通するためのピン孔を有する請求項２記載のバンド駒。
【請求項４】
突起部は、上パーツおよび下パーツのうち、一方のパーツの一辺中央に１カ所とこれに相対する他辺両端に２カ所設けられ、他方のパーツの一辺中央から外側寄りに２カ所とこれに相対する他辺両端から内側寄りに２カ所設けられた請求項３記載のバンド駒。
【請求項５】
上パーツと下パーツの向かい合う面に変化をもたせた請求項１から４のいずれかに記載のバンド駒。
【請求項６】
上パーツと下パーツとで材質を異なるものとした請求項１から５のいずれかに記載のバンド駒。
【請求項７】
請求項１から６のいずれかに記載のバンド駒によって構成されるバンド。
【発明の詳細な説明】
【技術分野】
【０００１】
本発明は、凹部とそれに嵌合する凸部を備えて連結しバンドを構成するバンド駒に関するものである。
【背景技術】
【０００２】
金属製の時計バンド（金属バンド）には、バンド駒に凹部とそれに嵌合する凸部を備えることで、それら凹凸バンド駒を相互に連結しバンドを構成するものがある。
一方、時計バンドの駒には、特許文献１にあるように、駒を上下に分割した構造を有するものもある。
【０００３】
【特許文献１】実開平０６−２１４１３号公報
【発明の開示】
【発明が解決しようとする課題】
【０００４】
しかしながら、これまで凹凸バンド駒において、２つのパーツを上下方向に組み合わせてなるバンド駒は存在していなかった。
そこで、本件発明者らは、２つのパーツを上下方向に組み合わせてなる凹凸バンド駒の開発を検討し、それに様々な利点を有することが分かり、本件発明をするに至った。
【課題を解決するための手段】
【０００５】
本件第一の発明は、凹部とそれに嵌合する凸部を備えて連結しバンドを構成するバンド駒であって、上パーツと下パーツを上下方向に組み合わせてなるバンド駒であることを特徴とするものである。なお、ここで、１個のバンド駒で凹部と凸部がそれぞれ１カ所ずつのものに限らず、複数カ所備えるものであってもよい。
第二の発明は、上パーツおよび／または下パーツに、凹部または凸部を形成するための突起部を設けたことを特徴とするものである。
第三の発明は、突起部が、上パーツと下パーツを上下方向に組み合わせた分の高さと、連結ピンを挿通するためのピン孔を有することを特徴とするものである。
第四の発明は、突起部は、上パーツおよび下パーツのうち、一方のパーツの一辺中央に１カ所とこれに相対する他辺両端に２カ所設けられ、他方のパーツの一辺中央から外側寄りに２カ所とこれに相対する他辺両端から内側寄りに２カ所設けられたことを特徴とするものである。
第五の発明は、上パーツと下パーツの向かい合う面に変化をもたせたことを特徴とするものである。
第六の発明は、上パーツと下パーツとで材質を異なるものとしたことを特徴とするものである。
第七の発明は、請求項１から６のいずれかに記載のバンド駒によって構成されるバンドであることを特徴とするものである。
【発明の効果】
【０００６】
本件発明によれば、以下のような効果を有する。
（１）上パーツと下パーツを上下方向に組み合わせることで、バンド駒の側面のデザインに幾何学的な模様などの特徴を出すことができるようになる。
（２）上パーツと下パーツの材質を異なるものとすることで、バンドの印象を変えることができるようになる。
（３）上パーツと下パーツの組み合わせ方を変えることで、全く異なった凹凸部の連結状態を形成できるようになる。
【発明を実施するための最良の形態】
【０００７】
本発明の実施の形態を図面に基づいて説明する。
図１は、本件発明のバンド駒を示す説明図である。バンド駒１０は、上パーツ２０と下パーツ３０とを上下方向に組み合わせてなるものである。上パーツ２０および下パーツ３０は、それぞれ凹部または凸部を形成するための突起部を設けている。その突起部は、上パーツ２０と下パーツ３０を上下方向に組み合わせた場合に凹部または凸部を形成できるように、上パーツ２０と下パーツ３０を上下方向に組み合わせた分の高さ（すなわち、バンド駒１０の高さ）を有し、また、バンド駒１０どうしを連結する連結ピンを挿通するためのピン孔１１を有することを特徴とするものである。
【０００８】
図１に示す例では、突起部は、下パーツ３０の一辺３１中央に１カ所（３２）とこれに相対する他辺３４両端に２カ所（３５，３６）設けられている。また、上パーツ２０の一辺２１中央から外側寄りに２カ所（２２，２３）とこれに相対する他辺２４両端から内側寄りに２カ所（２５，２６）設けられている。
【０００９】
そして、このような上パーツ２０と下パーツ３０を上下方向に組み合わせると、バンド駒１０となる。バンド駒１０は、下パーツ３０の突起部３５，３６と上パーツ２０の突起部２５，２６で凹部１２を形成する。また、下パーツ３０の突起部３２と上パーツ２０の突起部２２，２３で凸部１３を形成する。さらに、上パーツ２０と下パーツ３０のそれぞれ向かい合う面である内面２７，３７を湾曲状に形成しているので、バンド駒１０の側面１４に楕円形の開口部１５を備える。
【００１０】
図２に示す例は、図１の上パーツ２０と下パーツ３０において、上パーツ２０の向きを１８０度回転させ前後を逆にしたものである。これにより、上パーツ２０と下パーツ３０を上下方向に組み合わせたバンド駒１０’は、下パーツ３０の突起部３５，３６と上パーツ２０の突起部２２，２３で凹部１６を３カ所形成する。また、下パーツ３０の突起部３２と上パーツ２０の突起部２５，２６で凸部１７を３カ所形成する。これにより、バンド駒１０’は、クシ歯タイプの凹凸部になる。すなわち、図１に示すバンド駒１０と同じ上パーツ２０と下パーツ３０を用いながら、その組み合わせ方を変えることで、全く異なった凹凸部の連結状態を形成できるようになるのである。なお、バンド駒１０’の側面１８に楕円形の開口部１９を同様に備える。
【００１１】
図３（Ａ）〜（Ｄ）は、バンド駒の側面のデザインを示す側面図の一例である。このように、上パーツと下パーツのそれぞれ向かい合う面である内面に加工を施すことで、バンド駒の側面を様々なデザインにすることができ、そのデザインの数は無数に考えられる。
また、図示省略するが、上パーツと下パーツの材質を異なるものとしてもよい。例えば、Ｔｉ（チタン）とＳＳ（ステンレス）の組み合わせや、樹脂とＳＳ（ステンレス）の組み合わせなどが考えられる。なお、そのときバンド駒の  側面にメッキ処理を施してもよい。
【産業上の利用可能性】
【００１２】
本発明は、凹部とそれに嵌合する凸部を備えて連結しバンドを構成するバンド駒に広く利用できるものであり、そのバンドとは時計バンドの他に装飾用バンドや荷造用バンドなどバンド類全般にわたるものである。
【図面の簡単な説明】
【００１３】
【図１】本件発明のバンド駒を示す説明図。
【図２】本件発明のバンド駒を示す説明図。
【図３】バンド駒の側面のデザインを示す側面図。
【符号の説明】
【００１４】
１０  バンド駒    １０’バンド駒  １１  ピン孔    １２  凹部      １３  凸部
１４  側面        １５  開口部    １６  凹部      １７  凸部      １８  側面
１９  開口部
２０  上パーツ    ２１  一辺      ２２  突起部    ２３  突起部    ２４  他辺
２５  突起部      ２６  突起部    ２７  内面
３０  下パーツ    ３１  一辺      ３２  突起部    ３４  他辺      ３５  突起部
３６  突起部      ３７  内面
【図１】
2006122530.tif 000003
【図２】
2006122530.tif 000004
【図３】
2006122530.tif 000005